【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・システムのサーバが、
前記ソーシャル・ネットワーキング・システムの第１のユーザのクライアント・システムから、報酬生成イベントを示す指示子を受信する工程であって、前記報酬生成イベントは、前記ソーシャル・ネットワーキング・システムに関連付けられているインタフェースを介して前記第１のユーザがコンテンツ・オブジェクトに「いいね」を表明すること、コンテンツ・オブジェクトを共有すること、コンテンツ・オブジェクトにコメントすること、またはコンテンツ・オブジェクトを投稿することを含む、指示子受信工程と、
前記ソーシャル・ネットワーキング・システムの前記サーバが、前記報酬生成イベントに基づき、前記ソーシャル・ネットワーキング・システムのソーシャルグラフを更新する工程であって、前記ソーシャルグラフは、複数のノードと前記ノードを接続する複数のエッジとを含み、各ノードは前記ソーシャル・ネットワーキング・システムに関連付けられているユーザまたはコンテンツ・オブジェクトに対応し、前記第１のユーザは前記複数のノードのうちの第１のノードに対応し、前記ソーシャルグラフの更新は、
前記第１のユーザが投稿したコンテンツ・オブジェクトに対応する新たなノードを前記ソーシャルグラフに追加することと、
前記複数のノードのうち前記第１のユーザが「いいね」を表明した、共有した、またはコメントした前記コンテンツ・オブジェクトに対応する第２のノードに前記第１のノードを接続するエッジを追加することとのうちの１つ以上を含む、工程と、
前記ソーシャル・ネットワーキング・システムの前記サーバが、前記ソーシャルグラフに対する前記更新が前記ソーシャル・ネットワーキング・システムによって規定された報酬生成規則に適合するか否かを判定するために、前記サーバ上に記憶されている報酬生成イベントのイベント・ログを検索する工程と、
前記第１のユーザによって実行される前記報酬生成イベントに基づく前記ソーシャルグラフに対する前記更新が前記報酬生成規則に適合することに応じて、前記ソーシャル・ネットワーキング・システムの前記サーバが、前記第１のユーザに関連付けられているアカウントに報酬を割り当てる工程であって、前記報酬は前記報酬生成規則に基づき計算される、工程と、
前記第１のユーザによって実行される前記報酬生成イベントに基づく前記ソーシャルグラフに対する前記更新が前記報酬生成規則に適合することに応じて、前記第１のユーザの前記クライアント・システムに前記第１のユーザに対する提示用の選択された広告を送信
する工程であって、前記広告の前記選択は少なくとも部分的には前記広告の品質スコアに基づき、前記広告の前記品質スコアは前記ソーシャルグラフに対する前記更新に関連付けられている値に基づき計算される、工程と、を備える方法。
【請求項２】
前記ソーシャル・ネットワーキング・システムの前記サーバが、少なくとも部分的には広告主による前記広告の入札にさらに基づいて、前記第１のユーザに対する提示用の広告を選択する工程をさらに備え、
前記広告は、前記ソーシャル・ネットワーキング・システムに対する情報の提供に関連付けられており、
前記入札は、前記報酬生成イベントに対して前記広告主が前記第１のユーザに支払を行うことを望む値を含むソーシャルペイ入札構成要素を備え、
前記報酬生成イベントに対して前記第１のユーザに割り当てる報酬を決定する工程は、前記第１のユーザによるアクションに少なくとも一部は基づいて、前記報酬生成イベントに対して前記第１のユーザに割り当てる前記ソーシャルペイ入札構成要素の一部分を決定する工程を含む、請求項１に記載の方法。
【請求項３】
前記ソーシャルペイ入札構成要素は、前記報酬生成イベントに対して、前記報酬生成イベントと関連付けられたキャリアに前記広告主が支払うことを望む値をさらに含み、
前記方法は、前記ソーシャル・ネットワーキング・システムの前記サーバが、前記第１のユーザによる前記アクションに少なくとも一部は基づいて、前記報酬生成イベントに対して前記キャリアに割り当てる前記ソーシャルペイ入札構成要素の一部分を決定する工程をさらに備える、請求項２に記載の方法。
【請求項４】
前記入札は広告入札構成要素をさらに含み、前記広告入札構成要素は、前記報酬生成イベントに対して前記広告主が前記広告の発行元に支払を行うことを望む値を含み、
前記方法は、前記ソーシャル・ネットワーキング・システムの前記サーバが、前記第１のユーザによる前記アクションに少なくとも一部は基づいて、前記発行元に割り当てる前記広告入札構成要素の一部分を決定する工程をさらに備える、請求項２に記載の方法。
【請求項５】
前記広告入札構成要素は全て前記発行元に割り当てられる、請求項４に記載の方法。
【請求項６】
前記ソーシャル・ネットワーキング・システムの前記サーバが、前記報酬生成イベントに少なくとも一部は基づいて、別のエンティティに割り当てる前記ソーシャルペイ入札構成要素の部分を決定する工程をさらに備える、請求項２に記載の方法。
【請求項７】
前記別のエンティティは、前記第１のユーザに提示するための前記広告の選択に関与したエンティティである、請求項６に記載の方法。
【請求項８】
前記別のエンティティは、ソーシャル・ネットワーキング・システムの運営者である、請求項７に記載の方法。
【請求項９】
前記第１のユーザに提示するための前記広告の選択は、少なくとも部分的には、
前記第１のユーザと関連付けられた場所、
前記第１のユーザと関連付けられたソーシャルグラフ情報、または
前記広告の品質スコア
に基づいた選択である、請求項２に記載の方法。
【請求項１０】
前記報酬生成イベントは、
前記広告のインプレッション、
前記広告のクリック、
前記広告のクリックスルー、
前記広告のコンバージョン、および
前記広告と関連しているＷｉ−Ｆｉ接続の使用
のうちの１つ以上を含む、請求項１に記載の方法。
【請求項１１】
１つ以上の非一時的なコンピュータ可読記憶媒体であって、前記媒体はソフトウェアを具現化し、前記ソフトウェアはソーシャル・ネットワーキング・システムのサーバによる実行時、
前記ソーシャル・ネットワーキング・システムの第１のユーザのクライアント・システムから、報酬生成イベントを示す指示子を受信する工程であって、前記報酬生成イベントは、前記ソーシャル・ネットワーキング・システムに関連付けられているインタフェースを介して前記第１のユーザがコンテンツ・オブジェクトに「いいね」を表明すること、コンテンツ・オブジェクトを共有すること、コンテンツ・オブジェクトにコメントすること、またはコンテンツ・オブジェクトを投稿することを含む、指示子受信工程と、
前記ソーシャル・ネットワーキング・システムの前記サーバが、前記報酬生成イベントに基づき、前記ソーシャル・ネットワーキング・システムのソーシャルグラフを更新する工程であって、前記ソーシャルグラフは、複数のノードと前記ノードを接続する複数のエッジとを含み、各ノードは前記ソーシャル・ネットワーキング・システムに関連付けられているユーザまたはコンテンツ・オブジェクトに対応し、前記第１のユーザは前記複数のノードのうちの第１のノードに対応し、前記ソーシャルグラフの更新は、
前記第１のユーザが投稿したコンテンツ・オブジェクトに対応する新たなノードを前記ソーシャルグラフに追加することと、
前記複数のノードのうち前記第１のユーザが「いいね」を表明した、共有した、またはコメントした前記コンテンツ・オブジェクトに対応する第２のノードに前記第１のノードを接続するエッジを追加することとのうちの１つ以上を含む、工程と、
前記ソーシャル・ネットワーキング・システムの前記サーバが、前記ソーシャルグラフに対する前記更新が前記ソーシャル・ネットワーキング・システムによって規定された報酬生成規則に適合するか否かを判定するために、前記サーバ上に記憶されている報酬生成イベントのイベント・ログを検索する工程と、
前記第１のユーザによって実行される前記報酬生成イベントに基づく前記ソーシャルグラフに対する前記更新が前記報酬生成規則に適合することに応じて、前記ソーシャル・ネットワーキング・システムの前記サーバが、前記第１のユーザに関連付けられているアカウントに報酬を割り当てる工程であって、前記報酬は前記報酬生成規則に基づき計算される、工程と、
前記第１のユーザによって実行される前記報酬生成イベントに基づく前記ソーシャルグラフに対する前記更新が前記報酬生成規則に適合することに応じて、前記第１のユーザの前記クライアント・システムに前記第１のユーザに対する提示用の選択された広告を送信する工程であって、前記広告の前記選択は少なくとも部分的には前記広告の品質スコアに基づき、前記広告の前記品質スコアは前記ソーシャルグラフに対する前記更新に関連付けられている値に基づき計算される、工程と、
を行うように構成されている、媒体。
【請求項１２】
前記ソフトウェアは、
少なくとも部分的には広告主による前記広告の入札にさらに基づいて、前記第１のユーザに対する提示用の広告を選択する工程を行うように構成されており、
前記広告は、前記ソーシャル・ネットワーキング・システムに対する情報の提供に関連付けられており、
前記入札は、前記報酬生成イベントに対して前記広告主が前記第１のユーザに支払を行うことを望む値を含むソーシャルペイ入札構成要素を備え、
前記ソフトウェアは、前記第１のユーザによるアクションに少なくとも一部は基づいて
、前記報酬生成イベントに対して前記ユーザに割り当てる前記ソーシャルペイ入札構成要素の一部分を決定するべく、前記報酬生成イベントに対して前記第１のユーザに割り当てる報酬を決定する工程をを行うようにさらに構成されている、請求項１１に記載の媒体。
【請求項１３】
前記ソーシャルペイ入札構成要素は、前記報酬生成イベントに対して、前記報酬生成イベントと関連付けられたキャリアに前記広告主が支払うことを望む値をさらに含み、
前記ソフトウェアは実行時、前記第１のユーザによる前記アクションに少なくとも一部は基づいて、前記報酬生成イベントに対して前記キャリアに割り当てる前記ソーシャルペイ入札構成要素の一部分を決定するようにさらに構成されている、請求項１２に記載の媒体。
【請求項１４】
前記入札は広告入札構成要素をさらに含み、前記広告入札構成要素は、前記報酬生成イベントに対して前記広告主が前記広告の発行元に支払を行うことを望む値を含み、
前記ソフトウェアは実行時、前記第１のユーザによる前記アクションに少なくとも一部は基づいて、前記発行元に割り当てる前記広告入札構成要素の一部分を決定するようにさらに構成されている、請求項１２に記載の媒体。
【請求項１５】
前記広告入札構成要素は全て前記発行元に割り当てられる、請求項１４に記載の媒体。
【請求項１６】
前記ソフトウェアは実行時、前記報酬生成イベントに少なくとも一部は基づいて、別のエンティティに割り当てる前記ソーシャルペイ入札構成要素の部分を決定するようにさらに構成されている、請求項１２に記載の媒体。
【請求項１７】
ソーシャル・ネットワーキング・システムであって、サーバの１つ以上のプロセッサと、前記プロセッサに接続されており前記プロセッサによって実行可能な命令を含むメモリと、を備え、前記プロセッサは前記命令の実行時、
前記ソーシャル・ネットワーキング・システムの第１のユーザのクライアント・システムから、報酬生成イベントを示す指示子を受信する工程であって、前記報酬生成イベントは、前記ソーシャル・ネットワーキング・システムに関連付けられているインタフェースを介して前記第１のユーザがコンテンツ・オブジェクトに「いいね」を表明すること、コンテンツ・オブジェクトを共有すること、コンテンツ・オブジェクトにコメントすること、またはコンテンツ・オブジェクトを投稿することを含む、指示子受信工程と、
前記ソーシャル・ネットワーキング・システムの前記サーバが、前記報酬生成イベントに基づき、前記ソーシャル・ネットワーキング・システムのソーシャルグラフを更新する工程であって、前記ソーシャルグラフは、複数のノードと前記ノードを接続する複数のエッジとを含み、各ノードは前記ソーシャル・ネットワーキング・システムに関連付けられているユーザまたはコンテンツ・オブジェクトに対応し、前記第１のユーザは前記複数のノードのうちの第１のノードに対応し、前記ソーシャルグラフの更新は、
前記第１のユーザが投稿したコンテンツ・オブジェクトに対応する新たなノードを前記ソーシャルグラフに追加することと、
前記複数のノードのうち前記第１のユーザが「いいね」を表明した、共有した、またはコメントした前記コンテンツ・オブジェクトに対応する第２のノードに前記第１のノードを接続するエッジを追加することとのうちの１つ以上を含む、工程と、
前記ソーシャル・ネットワーキング・システムの前記サーバが、前記ソーシャルグラフに対する前記更新が前記ソーシャル・ネットワーキング・システムによって規定された報酬生成規則に適合するか否かを判定するために、前記サーバ上に記憶されている報酬生成イベントのイベント・ログを検索する工程と、
前記第１のユーザによって実行される前記報酬生成イベントに基づく前記ソーシャルグラフに対する前記更新が前記報酬生成規則に適合することに応じて、前記ソーシャル・ネットワーキング・システムの前記サーバが、前記第１のユーザに関連付けられているアカ
ウントに報酬を割り当てる工程であって、前記報酬は前記報酬生成規則に基づき計算される、工程と、
前記第１のユーザによって実行される前記報酬生成イベントに基づく前記ソーシャルグラフに対する前記更新が前記報酬生成規則に適合することに応じて、前記第１のユーザの前記クライアント・システムに前記第１のユーザに対する提示用の選択された広告を送信する工程であって、前記広告の前記選択は少なくとも部分的には前記広告の品質スコアに基づき、前記広告の前記品質スコアは前記ソーシャルグラフに対する前記更新に関連付けられている値に基づき計算される、工程と、
を行うように構成されている、システム。